(57)【要約】      （修正有）【課題】外反母趾と扁平足の矯正を同時におこなうことが出来る矯正具を提供する。【解決手段】該矯正具は、母趾１０の曲がりの矯正と足裏形状の矯正を同時にできる矯正具であり、母趾挿入環２の装着時に母趾をと第二指の指股に母趾矯正クッション４を装着するとともに、足裏の土ふまず位置に相当する部分にアーチを形成するための土踏まず矯正クッション６を有する装着具であり、該矯正具の足への固定は、先端部に面テープにより足の甲の上部で固定し、指先側へのずれ、抜け落ちは足首に巻いた固定バンド７で防止する。【選択図】図４
0003179553.tif 000002
【実用新案登録請求の範囲】
【請求項１】
伸縮性と通気性のある材質の平らな布を足の中央から指先手前までを包み込む込む形状に切り出した、矯正用バンド１に母趾の曲げがスムーズにできるためのスリット３を有した母趾を挿入できる母趾挿入環２とそれと接合した矯正用クッション４を貼り付け、さらに足の土踏まずのアーチ形状を有す、土踏まず矯正クッション６を貼り付け、足を包み込む矯正用バンド１の両端に面ファスナー５を備え、足に装着時の脱落防止にための固定バンド７を足首に襷掛けにかけホック８で固定できる構造を有する外反母趾及び偏平足矯正具。
【考案の詳細な説明】
【技術分野】
【０００１】  本考案は足の母趾が第２指側に曲がる外反母趾と、外反母趾の進行とともに併発されることがある偏平足の矯正を同時に行う矯正具に関する。
【背景技術】
【０００２】  外反母趾は、足の母趾が内側に曲がる病気であり、母趾の曲がりがひどくなると、足が痛くて歩けなくなり、足は変形して、普通の靴が履けなくなり、それでも無理な歩き方をしていると、脚が疲れやすく膝や股間節まで痛むことがある。きつい靴をはくのをやめると、痛みはやわらぐが、ひとたび外反母趾になると、母趾の曲がりは、歩くだけで自然に進行し、痛みが軽くなったといって油断すると、歳をとってから変形がひどくなり、痛みも再発することがあり、さらに外反母趾が進行すると、母趾以外の指も外側に曲がり、脱臼したり、槌指になったりすることがあり、足全体が偏平足や開張足になり、足の裏や小指の方まで痛みが広がってしまい、靴をはかなくても痛くて歩けなくなる。【０００３】  特許文献１は外反母趾矯正具を有する履物である。足の母趾が第２指側に曲がることを矯正するために、履物の母趾と第２指が、履いたときに足の母趾と第二指との間が位置する箇所に矯正部材を取り付けた履物であるが、本発明は外反母趾の症状が進行した場合は、本履物は履きづらく母趾が第２指側に曲がる症状が進行した場合においては、手で母趾を矯正しながら、矯正部材を母趾と第二指の間に差し込む必要性があり、足の指先までカバーするような靴のような場合には、母趾を手により矯正できないため、このような履物に適応することは困難であるという問題がある。【０００４】  特許文献２は外反母趾矯正サポータであり、母趾と第２指の間にクッション体を挿入し、母趾と第２指の間に間隔が取れるようにしたものであり、更に母趾を第２指から足の内側に引っ張り、矯正するものであり、母趾にかぶせる母趾保持部材を持って足の内側に矯正するものであり、矯正力が弛緩することを防ぐために足の踵を側に引き寄せる引張りバンドを有している。しかしながら、本発明は、症状が進行し足全体が偏平足になった場合は、偏平足の矯正はできないため、矯正効果は限定的なものになると考えられる。
【先行技術文献】
【特許文献】
【０００５】
【特許文献１】  特開平６−６２９０６
【特許文献２】  特開平６−５４８７３
【考案の概要】
【考案が解決しようとする課題】
【０００６】  外反母趾は、足の母趾が内側に曲がる病気であり、外反母趾の症状が進行すると、母趾以外の指も外側に曲がり、脱臼したり、槌指になったりすることがあり、更に、足全体が偏平足や開張足になり、足の裏や小指の方まで痛みが広がってしまい、靴をはかなくても痛くて歩けなくなる。【０００７】  偏平足の主な症状は、「歩行障害」「足裏の痛み」「足の関節障害」「膝や股関節の関節障害」などであり歩くと疲れやすくなる。このため母趾の曲がりの矯正と足裏の土ふまずの矯正が同時に必要となる場合がある。
【課題を解決するための手段】
【０００８】本発明は、母趾の曲がりの矯正と足裏の土ふまずの矯正を同時にできる矯正具であり、次に示す構造を有している。
すなわち、伸縮性と通気性のある材質の平らな布を足の中央から指先手前までを包み込む込む形状に切り出した、矯正用バンド１に母趾を挿入できる母趾挿入環３を取り付けた母趾矯正クッション４を貼り付け、さらに足の土踏まずのアーチ形状の土踏まず矯正クッション６を貼り付け、足を包み込む矯正用バンド１の両端に面ファスナー５を備え、足に装着時の抜け落ち防止にために固定バンド７を足首に襷掛けにかけホック８で固定できる構造を有する。
本矯正具の足への装着は、矯正用バンド１の足指先側先端部の母趾挿入環２に母趾１０を挿入し、同時に母趾１０と第２指１１の指股に母趾矯正クッション４を差し込み，次に矯正用バンド１の足中央部両端に取り付けたに面ファスナー５により足の甲中央部で固定する。矯正用バンド１が指先側にずれ、抜け落ちないように踵側に引き留めるための固定バンド７はホック８により、矯正用バンド１に連結され、矯正バンド１が指先側にずれ、抜け落ちることを防止している。
【考案の効果】
【０００９】  本発明の装着は、まず、足の母趾１０を母趾挿入環２に挿入し、母趾１０と第二指１１の指股に母趾矯正クッション４を挟み込み、矯正具の土踏まず矯正クッション６を装着者の土ふまずに当てた状態で、矯正具の足の中央両端部に張り出た部分を足の甲側に回し、矯正用バンド１に取り付けた面ファスナー５にて固定する。最後に、本矯正具が指先側にずれ、抜け落ちないように踵側に引き留めるための固定バンド７を足首に襷掛けにかけて、ホック８を固定することで装着は完了する。
これを装着することで、第２指１１にかぶさるように曲がった母趾１０は足の内側に強制的に移動され、母趾１０の本来あるべき位置に矯正することができ、靴を履いた時の痛みもなくまた、歩行時の痛みも緩和される。母趾１０の足の甲との付け根の足の内側にできる、母趾付け根の足の内側への突出部も少なくなり、靴との接触・摩擦によるタコができることも緩和される。また、外反母趾の症状が進行し、偏平足の症状が出た足裏の土踏まずは、土踏まず矯正クッション６の膨らみにより強制的に偏平足ではない正常な形状のアーチを形成することができ、このため、土踏まず矯正クッション６により、歩行のたびに、足裏に集中しているマッサージのツボを刺激することができ、身体各部の血流の流れが良くなり、快感を伴うとともに、疲労の回復と更には健康の増進に役立つ。
【実施例】
【００１０】  図１、２は本発明の実施例、図３、４、５は本発明の装着した状態を示すものである。
【図面の簡単な説明】
【０００７】
【図１】  図１は本発明において、固定バンド７を除いた状態の外反母趾矯正具の図面である。伸縮性と通気性のある材質の平らな布を足の中央から指先手前までを包み込む込む形状に切り出した、矯正用バンド１に母趾を挿入できる母趾挿入環３とそれと接合した矯正用クッション４を貼り付け、さらに足の土踏まずのアーチ形状を有す、土踏まず矯正クッション６を貼り付け、足を包み込む矯正用バンド１の両端に面ファスナー５を備え、足に装着時の脱落防止にための固定バンド７を足首に襷掛けにかけホック８で固定できる構造を有する。母趾挿入環３の長手方向中間部に設けたスリットは、母趾の曲げをスムーズに行うためのものである。
【図２】  図２は固定バンドを示す
【図３】  図３は本発明の矯正具を装着した状態で装着者の目から見た図を示す。
【図４】  図４は本発明の矯正具を装着した状態で装着者の右斜め前方から見た図を示す。
【図５】  図５は本発明の矯正具を装着した状態で装着者の右足前方より見た図を示す。
【符号の説明】１  矯正用バンド
２  母趾挿入環
３  スリット
４  母趾矯正クッション
５  面ファスナー
６  土踏まず矯正クッション
７  固定バンド
８  ホック
１０  母指
１１  第２指
【図１】
0003179553.tif 000003
【図２】
0003179553.tif 000004
【図３】
0003179553.tif 000005
【図４】
0003179553.tif 000006
【図５】
0003179553.tif 000007